(57)【要約】【課題】  フォークリフト等の荷役車両に適用されてフォークのガタを防止する為のフォーク用ガタ防止装置に於て、フォークを移動させる際にはこれが容易に行えると共に、それでいてフォークのガタを防止でき、然もフォークや下フック等の強度を低下させない様にする。【解決手段】  昇降可能なフォーク支持体２と、これに横動可能に懸架されるフォーク３と、フォーク支持体２に設けられてフォーク３の背面２０との間で楔状の空間を形成する傾斜面４と、フォーク支持体２に俯仰可能に設けられて中程がフォーク３の背面２０と傾斜面４との間に嵌入される嵌入位置と嵌入が解除される開放位置とに弾性変形し得る弓状の楔体５と、フォーク支持体２に設けられて楔体５の一側を俯仰可能に枢支し得る枢支体６と、フォーク支持体２に設けられて楔体５を少なくとも嵌入位置に保つべく楔体５の他側を掛止し得る掛止体７とで構成する。【選択図】        図１
2006117369.tif 000002
【特許請求の範囲】
【請求項１】
昇降可能なフォーク支持体と、フォーク支持体に横動可能に懸架されるフォークと、フォーク支持体に設けられてフォークの背面との間で楔状の空間を形成する傾斜面と、フォーク支持体に俯仰可能に設けられて中程がフォークの背面と傾斜面との間に嵌入される嵌入位置と嵌入が解除される開放位置とに弾性変形し得る弓状の楔体と、フォーク支持体に設けられて楔体の一側を俯仰可能に枢支し得る枢支体と、フォーク支持体に設けられて楔体を少なくとも嵌入位置に保つべく楔体の他側を掛止し得る掛止体と、から構成した事を特徴とするフォーク用ガタ防止装置。
【請求項２】
楔体は、一側に設けられて偏心した偏心部と、他側に設けられた解除用の操作部とを備えている請求項１に記載のフォーク用ガタ防止装置。
【請求項３】
枢支体は、楔体の一側端に設けられた抜止部が搖動可能に係合される係合孔を備えている請求項１に記載のフォーク用ガタ防止装置。
【請求項４】
掛止体は、楔体の他側を昇降可能に案内して楔体を開放位置に保ち得る縦穴と、縦穴に連続して楔体を嵌入位置に保つ為の横穴とを備えている請求項１に記載のフォーク用ガタ防止装置。
【発明の詳細な説明】
【技術分野】
【０００１】
本発明は、例えばフォークリフト等の荷役車両に適用されてフォークのガタを防止する為のフォーク用ガタ防止装置の改良に関する。
【背景技術】
【０００２】
従来、この種のフォーク用ガタ防止装置としては、例えば次の様なものが知られている。
（１）  フォークに弾性部材や摺動部材を設けてフォークとフィンガバー間のガタを防止するもの（特許文献１〜７参照）。
（２）  下フックにボルト部材を設けて下フックとフィンガバー間のガタを防止する事に依りフォークのガタを防止するもの（特許文献８〜１１参照）。
【０００３】
【特許文献１】特開昭５９−１７４９９号公報
【特許文献２】実開昭６０−８５５９９号公報
【特許文献３】実開昭６２−１００９９２号公報
【特許文献４】特開平４−１８２３００号公報
【特許文献５】実用新案登録第２５２３３３３号公報
【特許文献６】実用新案登録第２５７５１９１号公報
【特許文献７】特開２００２−２６５１９３号公報
【特許文献８】実公平６−１５９７８号公報
【特許文献９】特開平７−６９５９６号公報
【特許文献１０】特許第３２３２８３８号公報
【特許文献１１】特開平１１−１７１４９０号公報
【発明の開示】
【発明が解決しようとする課題】
【０００４】
ところが、前者のものは、フォークに設けられた弾性部材や摺動部材に依り常にフォークとフィンガバー間のガタが防止されるので、間隔を調整する為に左右のフォークをフィンガバーに沿って移動する際には、摺動抵抗が大きくなってこれが行い難かった。
他方、後者のものは、ボルト部材を緩めれば、フォークを移動できるものの、ボルト部材が下フックの背面に設けてあるので、これの螺動操作が行い難かった。その結果、フォークを移動させる際には、これが容易に行えなかった。然も、下フックには、ボルト部材に対応する螺孔を形成せねばならなかったので、下フックの強度が低下する難点があった。
【０００５】
本発明は、叙上の問題点に鑑み、これを解消する為に創案されたもので、その課題とする処は、フォークを移動させる際にはこれが容易に行えると共に、それでいてフォークのガタを防止でき、然も、フォークや下フック等の強度を低下させない様にしたフォーク用ガタ防止装置を提供するにある。
【課題を解決するための手段】
【０００６】
本発明のフォーク用ガタ防止装置は、基本的には、昇降可能なフォーク支持体と、フォーク支持体に横動可能に懸架されるフォークと、フォーク支持体に設けられてフォークの背面との間で楔状の空間を形成する傾斜面と、フォーク支持体に俯仰可能に設けられて中程がフォークの背面と傾斜面との間に嵌入される嵌入位置と嵌入が解除される開放位置とに弾性変形し得る弓状の楔体と、フォーク支持体に設けられて楔体の一側を俯仰可能に枢支し得る枢支体と、フォーク支持体に設けられて楔体を少なくとも嵌入位置に保つべく楔体の他側を掛止し得る掛止体と、から構成した事に特徴が存する。
【０００７】
楔体が俯伏されて楔体の他側が掛止体に依り掛止されると、楔体が直線状に近づいて嵌入位置にされる。楔体が嵌入位置にされると、楔体がフォークの背面と傾斜面との間に嵌入されるので、フォーク支持体に対してフォークがガタつく事がなくなる。
楔体の他側と掛止体との掛止が解除されると、楔体が自己の弾性に依り仰起されて開放位置に復帰される。楔体が開放位置にされると、楔体がフォークの背面と傾斜面との間に遊嵌されて所謂嵌入が解除される。そうすると、フォーク支持体に対してフォークがガタつく惧れがあるものの、フォーク支持体に対するフォークの摺動抵抗がそれだけ小さくなるので、フォークの移動が容易に行なえ、フォークの間隔を簡単に調整する事ができる。
【０００８】
傾斜面と楔体を設けているので、大きな楔効果を発揮できる。楔体がフォーク支持体に設けてあるので、これを紛失する惧れがない。楔体が自己の弾性に依り開放位置に復帰されるので、復帰機構を別途設ける必要がなく、構造の簡単化とコストの低減を図る事ができる。
傾斜面と楔体と枢支体と掛止体は、フォーク支持体に設けてあるので、フォークや下フックを加工する必要がなく、強度が低下する惧れがないばかりでなく、従来のフォークをそのまま使用できる。
【０００９】
楔体は、一側に設けられて偏心した偏心部と、他側に設けられた解除用の操作部とを備えているのが好ましい。この様にすれば、偏心部を備えているので、枢支体に対して楔体がその長手軸廻りに回動する事がなく、所謂廻止めされる。その結果、フォークの背面と傾斜面との間に楔体を確実に嵌入する事ができる。解除用の操作部を備えているので、作業者は、立ったまま足に依り楔体と掛止体との掛止を解除する事ができ、解除操作が容易に行える。
【００１０】
枢支体は、楔体の一側に設けられた抜止部が搖動可能に係合される係合孔を備えているのが好ましい。この様にすれば、ピン結合等に比べて高精度を要求されないので、構造を簡単化できてコストの低減を図る事ができる。
【００１１】
掛止体は、楔体の他側を昇降可能に案内して楔体を開放位置に保ち得る縦穴と、縦穴に連続して楔体を開放位置に保つ為の横穴とを備えているのが好ましい。この様にすれば、楔体が開放位置に復帰されて同状態が保たれるので、フォークの移動に際しては、作業者が楔体を開放位置に保持する必要がない。
【発明の効果】
【００１２】
本発明に依れば、次の様な優れた効果を奏する事ができる。
（１）  昇降可能なフォーク支持体と、フォーク支持体に横動可能に懸架されるフォークと、フォーク支持体に設けられてフォークの背面との間で楔状の空間を形成する傾斜面と、フォーク支持体に俯仰可能に設けられて中程がフォークの背面と傾斜面との間に嵌入される嵌入位置と嵌入が解除される開放位置とに弾性変形し得る弓状の楔体と、フォーク支持体に設けられて楔体の一側を俯仰可能に枢支し得る枢支体と、フォーク支持体に設けられて楔体を少なくとも嵌入位置に保つべく楔体の他側を掛止し得る掛止体とで構成し、とりわけ傾斜面と楔体と枢支体と掛止体とをフォーク支持体に設けたので、フォークを移動させる際にはこれが容易に行えると共に、それでいてフォークのガタを防止できる。
（２）  傾斜面と楔体と枢支体と掛止体とをフォーク支持体に設けたので、フォークや下フック等の強度を低下させる事がない。その結果、従来のフォークをそのまま使用できる。
【発明を実施するための最良の形態】
【００１３】
以下、本発明の実施の形態を、図面に基づいて説明する。
図１は、本発明のフォーク用ガタ防止装置を示し、左半分は嵌入状態を、右半分は開放状態を示す正面図。図２は、図１の側面図。図３は、開放状態を示す図１の要部正面図。図４は、図３の横断平面図。図５は、図３の側面図。図６は、楔体と傾斜面との関係を示す図３の縦断側面図。図７は、楔体と枢支体との関係を示す図３の縦断側面図。図８は、嵌入状態を示す図１の要部正面図。図９は、図８の側面図。図１０は、楔体と傾斜面との関係を示す図８の縦断側面図である。
【００１４】
フォーク用ガタ防止装置１は、フォーク支持体２、フォーク３、傾斜面４、楔体５、枢支体６、掛止体７とからその主要部が構成されて居り、フォークリフト等の荷役車両に適用される。
【００１５】
フォーク支持体２は、昇降可能なもので、この例では、左右のリフトブラケット８と、これらの前側に設けられた上下のフィンガバー９，１０と、リフトブラケット８の前側で両フィンガバー９，１０間に設けられた左右のセンタプレート１１と、両フィンガバー９，１０の両方の端部間に設けられた左右のサイドプレート１２とを備えて居り、図略しているが、フォークリフト等の荷役車両の車体の前側に前後傾動可能に設けられたマストに沿って昇降可能に設けられている。
【００１６】
リフトブラケット８は、板状を呈している。
上フィンガバー９は、横長な角柱状を呈し、両リフトブラケット８の上側前面に架設されて居り、上部には、上向きの突条１３が形成されている。上フィンガバー９の突条１３には、図略しているが、位置決め用のストッパピンが掛合される掛合切欠が所定間隔毎に形成されて居り、これらに依りフォーク３の左右方向の移動が規制されて両フォーク３の間隔を調整できる様になっている。
下フィンガバー１０は、横長な角柱状を呈し、両リフトブラケット８の下側前面に架設されて居り、下部には、下向きの突条１４が形成されていると共に、下部中央には、フォーク３を挿脱する為の切欠１５が形成されている。
【００１７】
フォーク３は、フォーク支持体２に横動可能に懸架されるもので、この例では、左右一対のものにしてあり、夫々垂直片１６と水平片１７とを備えた略Ｌ型を呈し、垂直片１６の上側背面には、倒立略Ｌ型を呈して上フィンガバー９の突条１３に掛合される上フック１８が付設されていると共に、垂直片１６の下側背面には、略Ｌ型を呈して下フィンガバー１０の突条１４に掛合される下フック１９が付設されている。
上フック１８には、図略しているが、バネに依り下向きに付勢された位置決め用のストッパピンが設けられている。
【００１８】
傾斜面４は、フォーク支持体２に設けられてフォーク３の背面２０との間で楔状の空間を形成するもので、この例では、フォーク３に呼応して左右に一対設けてあり、具体的には、夫々二つづつ合計四つ設けてあり、センタプレート１１の前側で下フィンガバー１０の上部に付設された案内体２１の前面に形成されている。つまり、案内体２１の前面は、上方に行くに従い漸次後方に後傾した傾斜面４になる様にしてある。
【００１９】
楔体５は、フォーク支持体２に俯仰可能に設けられて中程がフォーク３の背面２０と傾斜面４との間に嵌入される嵌入位置と嵌入が解除される開放位置とに弾性変形し得る弓状のもので、この例では、フォーク３に呼応して左右に一対設けてあり、断面円形で弾性を有する真直な棒材を使用してこれを適数箇所で曲げる事に依り上弦彎曲状の弓形にされ、所謂スプリングバーにされている。
而して、楔体５の一側には、略Ｚ状に折り曲げる事に依り所定量Ａだけ偏心された偏心部２２が形成されていると共に、楔体５の一側端には、大径にした抜止部２３が形成されている。楔体５の他側には、略Ｌ型を呈する解除用の操作部２４が付設されている。
【００２０】
枢支体６は、フォーク支持体２に設けられて楔体５の一側を俯仰可能に枢支し得るもので、この例では、左右の楔体５を俯仰可能に枢支する兼用（単一）のものにしてあり、略平面Ｕ型を呈し、そのウェブ部が下フィンガバー１０の中央上部に付設されたブラケット２５にボルト２６に依り着脱可能に取付けられている。
而して、枢支体６の左右のフランジ部には、楔体５の抜止部２３が搖動可能に係合される下方が開放された係合孔２７が形成されている。
【００２１】
掛止体７は、フォーク支持体２に設けられて楔体５を少なくとも嵌入位置に保つべく楔体５の他側を掛止し得るもので、この例では、楔体５を嵌入位置と開放位置とに保つものにしてあり、バックレスト２８を利用している。
バックレスト２８は、フォーク支持体２の上フィンガバー９の上方に位置される受体２９と、これの両側から垂下された左右の脚体３０とを備えている。受体２９は、フォーク３上の荷物を受け止めるもので、上下の横材３１とこの間に左右方向に所定間隔を置いて介設された多数の縦材３２とを備えている。脚体３０は、断面略Ｌ型を呈して居り、フォーク支持体２のサイドプレート１２に適数のボルト３１に依り着脱可能に取付けられる。
而して、掛止体７は、バックレスト２８の脚体３０の下側を分割する事に依り形成されて居り、フォーク支持体２のサイドプレート１２に適数のボルト３４に依り着脱可能に取付けられ、楔体５の他側を昇降可能に案内して楔体５を開放位置に保ち得る縦穴３５と、これに連続して楔体５を嵌入位置に保つ為の横穴３６とを備えている。縦穴３５と横穴３６とは、略Ｌ型又は略Ｊ型を為している。
【００２２】
次に、この様な構成に基づいてその作用を述解する。
図１の右半分及び図２乃至図７に示す如く、操作部２４を操作して楔体５の他側と掛止体７の横穴３６との掛止を解除すると、楔体５が自己の弾性に依り枢支体６を支点として仰起されると共に、楔体５の他側及び操作部２４が掛止体７の縦穴３５の上側に掛止されて楔体５が開放位置に保たれる。楔体５が開放位置にされると、楔体５の中程がフォーク３の背面２０と傾斜面４との間に遊嵌されて所謂嵌入が解除される。
そうすると、フォーク支持体２に対してフォーク３が前後方向にガタつく惧れがあるものの、フォーク支持体２に対するフォーク３の摺動抵抗がそれだけ小さくなるので、フォーク３の移動が容易に行なえ、フォーク３の間隔を簡単に調整する事ができる。
【００２３】
逆に、図８乃至図１０に示す如く、楔体５の他側を操作して自己の弾性に抗して下降させた後に、楔体５の他側（この例では、楔体５の他側に付設された解除用の操作部２４）を掛止体の縦穴３５から横穴３６に掛止させると、楔体５が枢支体６を支点として直線状に俯伏されて嵌入位置に保たれる。楔体５が嵌入位置にされると、楔体５の中程がフォーク３の背面２０と傾斜面４との間に強く嵌入されるので、フォーク支持体２に対してフォーク３がガタつく事がなくなる。この時、楔体５には、偏心部２２が形成されているので、長手軸廻りに回動する惧れがなく、楔体５を確実に嵌入位置にする事ができる。
【００２４】
傾斜面４と楔体５を設けているので、大きな楔効果を発揮できる。楔体５がフォーク支持体２に設けてあるので、これを紛失する惧れがない。楔体５が自己の弾性に依り開放位置に復帰されるので、復帰機構を別途設ける必要がなく、構造の簡単化とコストの低減を図る事ができる。楔体５が開放位置に復帰されて同状態が保たれるので、フォーク３の移動に際しては、作業者が楔体５を開放位置に保持する必要がない。
傾斜面４と楔体５と枢支体６と掛止体７は、何れもフォーク支持体２に設けてあるので、フォーク３や下フック１８を加工する必要がなく、これらの強度が低下する惧れがない。そればかりでなく、従来のフォーク３をそのまま使用でき、極めて合理的である。
【００２５】
尚、傾斜面４は、先の例では、案内体２１の前面に形成したが、これに限らず、例えばセンタプレート１１の前面に形成したり、下フィンガバー１０の前側上部を所定角度だけ傾斜して削除する事に依り形成しても良い。
傾斜面４と楔体５と掛止体７は、先の例では、左右のフォーク３に呼応して左右別々に設けたが、これに限らず、例えば左右のものを兼用すべく単一だけ設けても良い。
楔体５の偏心部２２は、先の例では、折り曲げに依り形成したが、これに限らず、例えば別の棒材を平行状態に付設する事に依り形成しても良い。
楔体５の抜止部２３は、先の例では、一側端を大径にする事に依り形成したが、これに限らず、例えば一側端を鈎状に折り曲げる事に依り形成しても良い。
楔体５の操作部２４は、先の例では、他側に略Ｌ型の部材を付設する事に依り形成したが、これに限らず、例えば他側を略Ｌ型等に折り曲げる事に依り形成しても良い。
楔体５と枢支体６と掛止体７は、先の例では、枢支体６が内側（中央）に掛止体７が外側に夫々位置すべく設けたが、これに限らず、例えば枢支体６が外側に掛止体７が内側（中央）に夫々位置すべく設けても良い。
枢支体６は、先の例では、左右のものを兼用すべく単一にしたが、これに限らず、例えば左右別々にしても良い。
掛止体７は、先の例では、楔体５を嵌入位置と開放位置とに保持できるものであったが、これに限らず、例えば嵌入位置のみを保持できるものでも良い。この場合、例えば縦穴３５を割愛して側方が開放された横穴３６だけで構成する事ができる。
掛止体７は、先の例では、バックレスト２８の脚体３０を利用したが、これに限らず、例えばフォーク支持体２のサイドプレート１２等を利用したり、これらを利用しない専用のものであっても良い。
【図面の簡単な説明】
【００２６】
【図１】本発明のフォーク用ガタ防止装置を示し、左半分は嵌入状態を、右半分は開放状態を示す正面図。
【図２】図１の側面図。
【図３】開放状態を示す図１の要部正面図。
【図４】図３の横断平面図。
【図５】図３の側面図。
【図６】楔体と傾斜面との関係を示す図３の縦断側面図。
【図７】楔体と枢支体との関係を示す図３の縦断側面図。
【図８】嵌入状態を示す図１の要部正面図。
【図９】図８の側面図。
【図１０】楔体と傾斜面との関係を示す図８の縦断側面図。
【符号の説明】
【００２７】
１…フォーク用ガタ防止装置、２…フォーク支持体、３…フォーク、４…傾斜面、５…楔体、６…枢支体、７…掛止体、８…リフトブラケット、９…上フィンガバー、１０…下フィンガバー、１１…センタプレート、１２…サイドプレート、１３…突条、１４…突条、１５…切欠、１６…垂直片、１７…水平片、１８…上フック、１９…下フック、２０…背面、２１…案内体、２２…偏心部、２３…抜止部、２４…操作部、２５…ブラケット、２６…ボルト、２７…係合孔、２８…バックレスト、２９…受体、３０…脚体、３１…ボルト、３２…横材、３３…縦材、３４…ボルト、３５…縦穴、３６…横穴、Ａ…所定量。
【図１】
2006117369.tif 000003
【図２】
2006117369.tif 000004
【図３】
2006117369.tif 000005
【図４】
2006117369.tif 000006
【図５】
2006117369.tif 000007
【図６】
2006117369.tif 000008
【図７】
2006117369.tif 000009
【図８】
2006117369.tif 000010
【図９】
2006117369.tif 000011
【図１０】
2006117369.tif 000012